(57)【要約】  中空形状に形成されたスポーツ用ボールの内部に設けられた電子部品に接続されたケーブルが、スポーツ用ボールに加えられた外力により断線するのを防止し、ケーブルあるいは電子部品に関わる全ての電気的接点の損傷を防止すること。  スポーツ用ボール１は、外形を形成する本体１０と、本体１０の内部に配置され、電子部品２１を保持する電子部品保持部２０と、本体１０の外部側に端子３１を有し、本体１０の内部側に、端子３１と電子部品２１とを接続するケーブル３２が突出する端子保持部３０と、本体１０の内部に配置され、本体１０に外力が加えられ、電子部品保持部２０の端子保持部３０に対する相対位置が変化した場合に、本体１０に外力が加えられていない状態における端子保持部３０に対する電子部品保持部２０の相対位置である初期相対位置Ｐに戻す方向に付勢する変位吸収部４０と、を備える。
2016175189.tif 000002
【特許請求の範囲】
【請求項１】
中空形状に形成されたスポーツ用ボールであって、
内部に気密空間を有し、外形を形成する本体と、
前記本体の内部に配置され、電子部品を保持する電子部品保持部と、
前記本体の外部側に端子を有し、前記本体の内部側に、前記端子と前記電子部品とを接続するケーブルが突出する端子保持部と、
前記本体の内部に配置され、前記本体に外力が加えられ、前記電子部品保持部の前記端子保持部に対する相対位置が変化した場合に、前記本体に外力が加えられていない状態における前記端子保持部に対する前記電子部品保持部の相対位置である初期相対位置に戻す方向に付勢する変位吸収部と、を備えるスポーツ用ボール。
【請求項２】
前記ケーブルは、前記本体に外力が加えられ、前記電子部品保持部の前記端子保持部に対する相対位置が最大に変化した状態において、前記端子から前記電子部品までの距離よりも長い長さで形成されている請求項１に記載のスポーツ用ボール。
【請求項３】
前記本体の外部側において、前記端子保持部と着脱自在に係合し、前記端子を覆う蓋部を、更に備え、
前記端子保持部は、
前記端子が埋め込まれた端子保持部本体と、
前記端子保持部本体の周面から突出し、前記端子保持部本体を囲み、前記蓋部の内面と密接して係合する係合部と、を備える請求項１又は２に記載のスポーツ用ボール。
【請求項４】
前記電子部品保持部は、前記本体の内部において、略中心に配置され、
前記端子保持部は、少なくとも一対で設けられ、
一対の前記端子保持部は、前記電子部品保持部を挟んで対向して設けられ、
前記変位吸収部は、
チューブ形状に形成され、
一端が前記端子保持部に接続され、他端が前記電子部品保持部につながり、
中央部に、弾性変形可能な素材で形成され、前記変位吸収部が延びる方向に延びる帯状体が、周方向に複数配列された帯状変形部を有し、
内部に前記ケーブルが挿通される請求項１から３のいずれかに記載のスポーツ用ボール。
【請求項５】
前記電子部品保持部は、前記本体の内部において、略中心に配置され、
前記端子保持部は、少なくとも一対で設けられ、
一対の前記端子保持部は、前記電子部品保持部を挟んで対向して設けられ、
前記変位吸収部は、
チューブ形状に形成され、
一端が前記端子保持部に接続され、他端が前記電子部品保持部に接続され、
中央部に、弾性変形可能な素材で形成され、前記変位吸収部が延びる方向と直交する方向に膨出する湾曲変形部を有し、
内部に前記ケーブルが挿通される請求項１から３のいずれかに記載のスポーツ用ボール。
【請求項６】
前記変位吸収部は、
伸長性を有する素材が膜形状に形成され、
端縁の少なくとも一部が前記本体の内面に接合され、
前記本体の内面から立設する面において、前記本体から離れた位置に前記電子部品保持部が取り付けられる請求項１から３のいずれかに記載のスポーツ用ボール。
【発明の詳細な説明】
【技術分野】
【０００１】
本発明は、スポーツ用ボールに関し、特に中空形状に形成されたスポーツ用ボールに関する。
【背景技術】
【０００２】
近年、スポーツを行う者の技術向上を目的として、スポーツに用いられるスポーツ用ボールに加えられた外力を測定するために、中空形状に形成されたスポーツ用ボールの内部に、外力を測定する電子部品を設ける場合がある。【０００３】
このようなスポーツ用ボールとして、 表面に発光素子が設けられた弾性部材の内部に、発光素子と配線を介して接続された電子部品を格納したボールが提案されている（特許文献１）。
特許文献１のボールによれば、弾性部材に与えられた衝撃の回数を、弾性部材の内部に格納された電子部品によりカウントし、このカウントに応じて発光素子を発光させることができる。
【先行技術文献】
【特許文献】
【０００４】
【特許文献１】特許第３７３７７８１号公報
【発明の概要】
【発明が解決しようとする課題】
【０００５】
ところで、スポーツ用ボールは、外表面に衝撃等の外力が加えられると、外表面が変形する。このとき、特許文献１の弾性部材の内部に設けられた電子部品には、弾性部材の外表面の変形にともなう外力に加え、弾性部材の内部の内圧の変化による外力も受けることとなる。
このため、弾性部材の外表面に設けられた発光素子と、弾性部材の内部に格納された電子部品とでは、外力による移動距離や移動方向が異なり、発光素子と電子部品との距離が急激に変化し、発光素子と電子部品とを接続する配線等のケーブルが断線する場合がある。【０００６】
本発明は、上記のような課題に鑑み、中空形状に形成されたスポーツ用ボールの内部に設けられた電子部品に接続されたケーブルが、スポーツ用ボールに加えられた外力により断線するのを防止し、ケーブルあるいは電子部品に関わる全ての電気的接点の損傷を防止することを目的とする。
【課題を解決するための手段】
【０００７】
（１）  中空形状に形成されたスポーツ用ボールであって、
内部に気密空間を有し、外形を形成する本体と、
前記本体の内部に配置され、電子部品を保持する電子部品保持部と、
前記本体の外部側に端子を有し、前記本体の内部側に、前記端子と前記電子部品とを接続するケーブルが突出する端子保持部と、
前記本体の内部に配置され、前記本体に外力が加えられ、前記電子部品保持部の前記端子保持部に対する相対位置が変化した場合に、前記本体に外力が加えられていない状態における前記端子保持部に対する前記電子部品保持部の相対位置である初期相対位置に戻す方向に付勢する変位吸収部と、を備えるスポーツ用ボール。【０００８】
（１）の構成によれば、スポーツ用ボールは、中空形状に形成され、本体と、電子部品保持部と、端子保持部と、変位吸収部と、を備える。
本体は、内部に気密空間を有し、外形を形成する。
電子部品保持部は、本体の内部に配置され、電子部品を保持する。
端子保持部は、本体の外部側に端子を有し、本体の内部側に、端子と電子部品とを接続するケーブルが突出する。
変位吸収部は、本体の内部に配置され、本体に外力が加えられ、電子部品保持部の端子保持部に対する相対位置が変化した場合に、本体に外力が加えられていない状態における端子保持部に対する電子部品保持部の相対位置である初期相対位置に戻す方向に付勢する。【０００９】
これにより、本体に外力が加えられた場合、本体に取り付けられた端子保持部と、本体の内部に配置された電子部品保持部とが、それぞれ異なる方向に移動し、電子部品保持部の端子保持部に対する相対位置が変化する。この場合、変位吸収部が、電子部品保持部を、端子保持部に対する電子部品保持部の初期相対位置に戻す方向に付勢する。このため、本体に外力が加えられた場合に、端子保持部の端子と、電子部品保持部が保持する電子部品とに接続されたケーブルに掛かる引っ張り力を軽減し、このケーブルが断線するのを防止できる。
したがって、中空形状に形成されたスポーツ用ボールの内部に設けられた電子部品に接続されたケーブルが、スポーツ用ボールに加えられた外力により断線するのを防止し、ケーブルあるいは電子部品に関わる全ての電気的接点の損傷を防止できる。【００１０】
また、本体に外力が加えられた場合、本体の内部に配置された変位吸収部により、電子部品保持部を初期相対位置に戻す方向に付勢することで、外力を変位吸収部により吸収し、電子部品保持部に保持された電子部品への衝撃を緩衝することができる。
よって、従来のスポーツ用ボールの力学的特性を維持しながら、電子部品（例えば、基板や、基板に搭載されたセンサ等の部品）の破損を防止できる。【００１１】
（２）  前記ケーブルは、前記本体に外力が加えられ、前記電子部品保持部の前記端子保持部に対する相対位置が最大に変化した状態において、前記端子から前記電子部品までの距離よりも長い長さで形成されている（１）に記載のスポーツ用ボール。【００１２】
（２）の構成によれば、ケーブルは、電子部品保持部の端子保持部に対する相対位置が最大に変化した状態において、端子から電子部品までの距離よりも長い長さで形成されているので、端子から電子部品までの距離が最大となるような大きな外力が本体に加えられ、電子部品保持部の端子保持部に対する相対位置が最大に変化しても、断線しない。【００１３】
これにより、中空形状に形成されたスポーツ用ボールの内部に設けられた電子部品に接続されたケーブルが、スポーツ用ボールに加えられた外力により断線するのをより確実に防止できる。【００１４】
（３）  前記本体の外部側において、前記端子保持部と着脱自在に係合し、前記端子を覆う蓋部を、更に備え、
前記端子保持部は、
前記端子が埋め込まれた端子保持部本体と、
前記端子保持部本体の周面から突出し、前記端子保持部本体を囲み、前記蓋部の内面と密接して係合する係合部と、を備える（１）又は（２）に記載のスポーツ用ボール。【００１５】
（３）の構成によれば、スポーツ用ボールは、蓋部を、更に備える。蓋部は、本体の外部側において、端子保持部と着脱自在に係合し、端子を覆う。
端子保持部は、端子保持部本体と、係合部と、を備える。
端子保持部本体は、端子が埋め込まれている。
係合部と、端子保持部本体の周面から突出し、端子保持部本体を囲み、蓋部の内面と密接して係合する。【００１６】
これにより、蓋部で端子を覆い、この端子が埋め込まれた端子保持部本体の周面から突出する係合部が蓋部の内面と密接して係合するので、端子に水や埃が侵入するのを防止できる。【００１７】
（４）  前記電子部品保持部は、前記本体の内部において、略中心に配置され、
前記端子保持部は、少なくとも一対で設けられ、
一対の前記端子保持部は、前記電子部品保持部を挟んで対向して設けられ、
前記変位吸収部は、
チューブ形状に形成され、
一端が前記端子保持部に接続され、他端が前記電子部品保持部につながり、
中央部に、弾性変形可能な素材で形成され、前記変位吸収部が延びる方向に延びる帯状体が、周方向に複数配列された帯状変形部を有し、
内部に前記ケーブルが挿通される（１）から（３）のいずれかに記載のスポーツ用ボール。【００１８】
（４）の構成によれば、電子部品保持部は、本体の内部において、略中心に配置される。
端子保持部は、少なくとも一対で設けられる。
一対の端子保持部は、電子部品保持部を挟んで対向して設けられる。
変位吸収部は、チューブ形状に形成され、一端が端子保持部に接続され、他端が電子部品保持部につながり、中央部に、弾性変形可能な素材で形成され、変位吸収部が延びる方向に延びる帯状体が、周方向に複数配列された帯状変形部を有し、その内部にケーブルが挿通される。【００１９】
これにより、提灯を縮めたような、変位吸収部が延びる方向に伸縮可能な構造で、電子部品を保持する電子部品保持部を挟むように支持できる。例えば、帯状体を、電子部品の重さに応じた数とすることで、電子部品の重さに対応してきめ細やかに剛性・柔軟性を調整することも可能となる。また、変位吸収部をチューブ形状に形成し、その内部にケーブルを挿通することで、ケーブルを端子から電子部品までの距離より長くしても、このケーブルが捩れるのを防止できる。【００２０】
（５）  前記電子部品保持部は、前記本体の内部において、略中心に配置され、
前記端子保持部は、少なくとも一対で設けられ、
一対の前記端子保持部は、前記電子部品保持部を挟んで対向して設けられ、
前記変位吸収部は、
チューブ形状に形成され、
一端が前記端子保持部に接続され、他端が前記電子部品保持部に接続され、
中央部に、弾性変形可能な素材で形成され、前記変位吸収部が延びる方向と直交する方向に膨出する湾曲変形部を有し、
内部に前記ケーブルが挿通される（１）から（３）のいずれかに記載のスポーツ用ボール。【００２１】
（５）の構成によれば、電子部品保持部は、本体の内部において、略中心に配置される。
端子保持部は、少なくとも一対で設けられる。
一対の端子保持部は、電子部品保持部を挟んで対向して設けられる。
変位吸収部は、チューブ形状に形成され、一端が端子保持部に接続され、他端が電子部品保持部に接続され、中央部に、弾性変形可能な素材で形成され、変位吸収部が延びる方向と直交する方向に膨出する湾曲変形部を有し、内部にケーブルが挿通される。【００２２】
これにより、電子部品を保持する電子部品保持部を、変位吸収部が延びる方向と直交する方向に膨出する湾曲変形部により、挟むように支持することで、チューブを湾曲させたことにより得られる強度と弾性により、電子部品の振動を抑えることができる。【００２３】
（６）  前記変位吸収部は、
伸長性を有する素材が膜形状に形成され、
端縁の少なくとも一部が前記本体の内面に接合され、
前記本体の内面から立設する面において、前記本体から離れた位置に前記電子部品保持部が取り付けられる（１）から（３）のいずれかに記載のスポーツ用ボール。【００２４】
（６）の構成によれば、変位吸収部は、伸長性を有する素材が膜形状に形成され、端縁の少なくとも一部が本体の内面に接合され、本体の内面から立設する面において、本体から離れた位置に電子部品保持部が取り付けられる。【００２５】
これにより、伸長性を有する素材の膜により、電子部品を保持する電子部品保持部を初期相対位置に戻す方向に付勢することができる。また、変位吸収部を膜形状に形成することで、スポーツ用ボールの弾性を損なうことなく、本体と電子部品保持部とを一体化できる。
【発明の効果】
【００２６】
本発明によれば、中空形状に形成されたスポーツ用ボールの内部に設けられた電子部品に接続されたケーブルが、スポーツ用ボールに加えられた外力により断線するのを防止し、ケーブルあるいは電子部品に関わる全ての電気的接点の損傷を防止できる。
【図面の簡単な説明】
【００２７】
【図１】本発明の第１実施形態に係るスポーツ用ボール１の構成を説明する図である。
【図２】本発明の第１実施形態に係るスポーツ用ボール１の構成を説明する図である。
【図３】図２において一点鎖線で示す円Ａで囲んだ部分の拡大断面図である。
【図４】本発明の第１実施形態に係るスポーツ用ボール１の動作を説明する図である。
【図５】本発明の第１実施形態の変形例に係るスポーツ用ボール１’の構成を説明する図である。
【図６】本発明の第２実施形態に係るスポーツ用ボール１Ａの構成を説明する図である。
【図７】本発明の第２実施形態に係るスポーツ用ボール１Ａの構成を説明する図である。
【図８】本発明の第３実施形態に係るスポーツ用ボール１Ｂの構成を説明する図である。
【図９】本発明の第４実施形態に係るスポーツ用ボール１Ｃの構成を説明する図である。
【図１０】本発明の第５実施形態に係るスポーツ用ボール１Ｄの構成を説明する図である。
【発明を実施するための形態】
【００２８】
以下、添付図面を参照して、本発明を実施するための形態（以下、実施形態）について詳細に説明する。なお、実施形態の説明において、同一の構成には同一の符号を付し、その説明を省略又は簡略化する。
【００２９】
［第１実施形態］
図１及び図２は、本発明の第１実施形態に係るスポーツ用ボール１の構成を説明する図である。図１は、スポーツ用ボール１の斜視図であり、本体１０の内部を示すため、本体１０及び蓋部５０は外形のみを点線で示している。図２は、スポーツ用ボール１の側面図であり、本体１０及び蓋部５０を断面で示し、電子部品保持部２０及び変位吸収部４０の内部に配置されている端子保持部３０、電子部品２１及びケーブル３２を点線で示している。
【００３０】
スポーツ用ボール１は、中空形状に形成され、本体１０と、電子部品保持部２０と、一対の端子保持部３０と、一対の変位吸収部４０と、一対の蓋部５０と、を備える。
本体１０は、球形中空体であり、内部に気密空間を有し、スポーツ用ボール１の外形を形成する。
【００３１】
図３は、図２において一点鎖線で示す円Ａで囲んだ部分の拡大断面図である。
本体１０は、内部に気密空間を形成するゴム製ブラダー１１と、ゴム製ブラダー１１の外面に取り付けられる外皮１２と、を備える。
【００３２】
図２に示すように、電子部品保持部２０は、本体１０の内部において、略中心に配置され、チューブ形状に形成され、その内部に電子部品２１を保持する。
電子部品２１は、例えば、電子基板に、無線マイコン、加速度センサ、３軸ジャイロ、圧力センサ、マイク、光センサ、ＬＥＤ（Light Emitting Diode）及び電池等が設けられ、外力が加えられたスポーツ用ボール１の動作や状態を検知し、使用者がスポーツ用ボール１に対して行った動作を判定する。
【００３３】
端子保持部３０は、本体１０の外部側に端子３１を有し、本体１０の内部側に、端子３１と電子部品２１とを接続するケーブル３２が突出する。
本実施形態では、端子保持部３０は、本体１０の中心に対して点対称であり、電子部品保持部２０を挟んで対向する一対で設けられている。一対の端子保持部３０の端子３１は、一方が端子の一例として他の機器（例えば、パーソナルコンピュータやスマートフォンや充電器等）と接続可能なＵＳＢ（Universal Serial Bus）端子であり、他方が端子の一例として電子部品２１に信号を送信可能なスイッチ端子である。なお、端子保持部３０は、一対に限らず、１つであってもよく、３つであってもよく、端子３１も電子部品２１の機能に応じたものを設けることができる。
【００３４】
また、ケーブル３２は、本体１０に外力が加えられ、電子部品保持部２０の端子保持部３０に対する相対位置が最大に変化した状態において、端子３１から電子部品２１までの距離よりも長い長さで形成されている。なお、ケーブル３２は、端子３１から電子部品２１までの距離が最大となるような大きな外力が本体１０に加えられた場合に断線せず、スポーツ用ボール１の機能を損なわなければ、任意の長さとすることができる。
【００３５】
また、ケーブル３２は、伸縮可能な形状（例えば、螺旋形状等）や、伸縮可能な導通素材（電気を通すゴム等）で形成することができる。この場合、ケーブル３２は、伸びきった状態における長さが、本体１０に外力が加えられ、電子部品保持部２０の端子保持部３０に対する相対位置が最大に変化した状態において、端子３１から電子部品２１までの距離より長ければ、初期相対位置に電子部品保持部２０が静止した状態における長さは、任意の長さとすることができる。
【００３６】
また、図３に示すように、端子保持部３０は、端子保持部本体３３と、係合部３４と、を備える。
端子保持部本体３３は、端子３１が埋め込まれ、端面に端子３１の操作部３１ａが形成されている。操作部３１ａは、例えば、端子３１がＵＳＢ端子であれば、ＵＳＢケーブルの差し込み部分であり、端子３１がスイッチ端子であれば、ユーザに操作されるボタン等である。
なお、本実施形態において、端子保持部本体３３は、例えば、円柱体がケーブル３２に向かってすぼむ形状に形成されているが、これに限らず、後述する蓋部５０の内面５０ａと密着可能な形状であれば、四角柱等の任意の形状とすることができる。
【００３７】
係合部３４は、端子保持部本体３３の周面３３ａから、周面３３ａに直交する方向に突出し、端子保持部本体３３を囲み、後述する蓋部５０の内面５０ａに形成された蓋溝５０ｂと密接して係合する。
【００３８】
図２に示すように、変位吸収部４０は、本体１０の内部に配置され、チューブ形状に形成され、一端が端子保持部３０に接続され、他端が電子部品保持部２０に接続され、中央部に、弾性変形可能な素材（例えば、合成樹脂、ゴム等）で形成され、変位吸収部４０が延びる方向と直交する方向に膨出する帯状体４１ａが、周方向に複数配列された帯状変形部４１を有し、その内部にケーブル３２が挿通される。
【００３９】
また、変位吸収部４０は、他端に外周面から、この外周面に直交する方向に突出するフランジが形成され、このフランジが電子部品保持部２０に係合する。これにより、変位吸収部４０が電子部品保持部２０から抜けてしまうのを防止できる。
【００４０】
図３に示すように、変位吸収部４０は、その一端側の外周面がゴム製ブラダー１１に密着して取り付けられる。また、変位吸収部４０は、チューブ形状の内部において、端子保持部３０が挿通される挿通孔４２ａが形成され、この挿通孔４２ａに端子保持部３０が挿通され固定されることで、内部を外気から遮蔽する遮蔽部４２を備える。
【００４１】
スポーツ用ボール１は、ゴム製ブラダー１１に変位吸収部４０が密着して取り付けられ、変位吸収部４０のチューブ形状の内部において、遮蔽部４２の挿通孔４２ａに端子保持部３０を挿通し、挿通孔４２ａを塞ぐことで、内部の気密が保持される。
【００４２】
図２に示すように、本実施形態では、変位吸収部４０は、本体１０の中心に対して点対称であり、電子部品保持部２０を挟んで対向する一対で設けられている。なお、変位吸収部４０は、一対に限らず、電子部品保持部２０の重さや、スポーツ用ボール１に応じて、１つ、３つ等の任意の数を設けることができる。
【００４３】
図３に示すように、蓋部５０は、本体１０の外部側において、端子保持部３０と着脱自在に係合し、内面５０ａにおいて、端子３１の操作部３１ａを密着して覆い、端子保持部３０の係合部３４と密接して係合する蓋溝５０ｂが形成されている。
【００４４】
図４は、本発明の第１実施形態に係るスポーツ用ボール１の動作を説明する図である。図４は、外力（図４に示す例では、白抜きの矢印Ｆ）が加えられたときのスポーツ用ボール１の側面図であり、本体１０及び蓋部５０を断面で示し、電子部品保持部２０及び変位吸収部４０の内部に配置されている端子保持部３０、電子部品２１及びケーブル３２を点線で示し、本体１０に外力が加えられていない状態における変位吸収部４０を破線で示している。
スポーツ用ボール１は、例えば、図４に示す例では左側から、本体１０に外力が加えられ、電子部品保持部２０の端子保持部３０に対する相対位置が変化した場合に、変位吸収部４０により、本体１０に外力が加えられていない状態における端子保持部３０に対する電子部品保持部２０の相対位置である初期相対位置Ｐ（図４中一点鎖線で示す部分）に、電子部品保持部２０を戻す方向（図４中矢印で示す方向）に付勢する。また、ケーブル３２は、本体１０に外力が加えられ、電子部品保持部２０の端子保持部３０に対する相対位置が最大に変化した状態において、端子３１から電子部品２１までの距離よりも長い長さで形成されているので、本体１０に外力が加えられ、電子部品保持部２０の端子保持部３０に対する相対位置が変化しても、断線しない。
【００４５】
第１実施形態によれば、提灯を縮めたような、変位吸収部４０が延びる方向に伸縮可能な構造で、電子部品２１を保持する電子部品保持部２０を挟むように支持できる。例えば、帯状体４１ａを、電子部品２１の重さに応じた数とすることで、電子部品２１の重さに対応してきめ細やかに剛性・柔軟性を調整することも可能となる。また、変位吸収部４０をチューブ形状に形成し、その内部にケーブル３２を挿通することで、ケーブル３２を端子３１から電子部品２１までの距離より長くしても、このケーブル３２が捩れるのを防止できる。
【００４６】
［変形例］
なお、第１実施形態のスポーツ用ボール１は、電子部品保持部２０と変位吸収部４０とをそれぞれ別の部品により構成し、これらを互いに接続しているが、これに限らず、以下に説明する変形例のように、電子部品保持部２０と変位吸収部４０とを一体的に構成してもよい。
【００４７】
図５は、本発明の第１実施形態の変形例に係るスポーツ用ボール１’の構成を説明する図である。
変形例に係るスポーツ用ボール１’は、電子部品保持部２０Ａと一対の変位吸収部４０とが一体的に構成されている点が、第１実施形態に係るスポーツ用ボール１と異なる。
【００４８】
また、変形例に係るスポーツ用ボール１’の電子部品保持部２０Ａは、本体１０の内部に配置され、弾性変形可能な素材（例えば、合成樹脂、ゴム等）がチューブ形状に形成され、その内部に電子部品２１を保持する。
また、電子部品保持部２０Ａは、一端が一方の変位吸収部４０に連なり、他端が他方の電子部品保持部２０に連なり、中央部に、変位吸収部４０が延びる方向に延びる帯状体２２ａが、周方向に複数配列された帯状変形部２２を有する。
【００４９】
また、電子部品２１は、電子部品保持部２０Ａに直接固定されてもよいし、容器に収容され、この容器が電子部品保持部２０Ａに固定されてもよい。このように、電子部品２１を容器に収容し、この容器を電子部品保持部２０Ａに固定することで、電子部品２１が電子部品保持部２０Ａ内空間において激しく移動し、端子３１やケーブル３２に負荷がかかる故障の原因を避けることができる。
【００５０】
［第２実施形態］
図６及び図７は、本発明の第２実施形態に係るスポーツ用ボール１Ａの構成を説明する図である。図６は、スポーツ用ボール１の斜視図であり、本体１０の内部を示すため、本体１０及び蓋部５０は外形のみを点線で示している。図７は、スポーツ用ボール１の側面図であり、本体１０及び蓋部５０を断面で示し、電子部品保持部２０及び変位吸収部４０Ａの内部に配置されている端子保持部３０、電子部品２１及びケーブル３２を点線で示している。
【００５１】
第２実施形態に係るスポーツ用ボール１Ａは、第１実施形態に係るスポーツ用ボール１とは、変位吸収部４０Ａの構成が異なり、更に、補助板６０を備える。
スポーツ用ボール１Ａは、中空形状に形成され、本体１０と、電子部品保持部２０と、一対の端子保持部３０と、一対の変位吸収部４０Ａと、一対の蓋部５０と、補助板６０と、を備える。
【００５２】
第２実施形態の変位吸収部４０Ａは、第１実施形態の変位吸収部４０とは、帯状変形部４１（図２参照）の代わりに、湾曲変形部４１Ａを備える以外は同様であるので、湾曲変形部４１Ａ以外の構成の説明は省略する。
【００５３】
湾曲変形部４１Ａは、変位吸収部４０Ａの中央部に配置され、弾性変形可能な素材（例えば、合成樹脂、ゴム等）で形成され、変位吸収部４０Ａが延びる方向と直交する方向に膨出し、略Ｓ字形状に形成されている。なお、湾曲変形部４１Ａは、変位吸収部４０Ａが延びる方向と直交する方向に膨出する形状であれば、略Ｓ字形状に限らず、略くの字形状等の任意の形状に形成することができる。
【００５４】
補助板６０は、電子部品保持部２０が延びる方向と直交する面６０aを有する板状体であり、その中心が本体１０の中心に配置される。また、補助板６０は、その中心において電子部品保持部２０が貫通し、側縁６１ａが本体１０の内面に当接する複数の当接部６１を有する。また、当接部６１には、軽量化のための孔６１ｂが形成されている。
複数の当接部６１は、本体１０の周方向において、等間隔で本体１０の内面に当接する。
【００５５】
補助板６０により、電子部品保持部２０の変位を規制できるので、本体１０に外力が加えられた場合に、電子部品保持部２０の端子保持部３０に対する相対位置の変化を抑えることができる。
なお、本実施形態において、当接部６１は、３箇所であるが、これに限らず、例えば、２箇所等の任意の複数箇所とすることができる。また、当接部６１は、スポーツ用ボール１Ａの用途に応じて、設けなくともよい。また、当接部６１は、常に側縁６１ａが本体１０の内面に当接する構成としてもよいし、初期状態（本体１０に衝撃を与えていない状態）において、側縁６１ａが本体１０の内面から所定寸法の間隔を空けた位置に配置され、本体１０に衝撃が与えられ、本体１０が内部側に変形したときに、側縁６１ａが本体１０の内面に当接する構成としてもよい。
【００５６】
第２実施形態によれば、電子部品２１を保持する電子部品保持部２０を、変位吸収部４０Ａが延びる方向と直交する方向に膨出する湾曲変形部４１Ａにより、挟むように支持することで、チューブを湾曲させたことにより得られる強度と弾性により、電子部品２１の振動を抑えることができる。
【００５７】
また、第１実施形態及び第２実施形態によれば、変位吸収部４０及び変位吸収部４０Ａは、電子部品保持部２０と、互いの円形状の端縁近傍が重ねられて接続され、一体的に形成されている。これにより、本体１０に外力が加えられた場合、本体１０の内部に配置され、電子部品保持部２０と一体的に形成された変位吸収部４０又は変位吸収部４０Ａにより、外力を吸収し、電子部品保持部２０に保持された電子部品２１への衝撃を緩衝することができる。
よって、従来のスポーツ用ボールの力学的特性を維持しながら、電子部品（例えば、基板や、基板に搭載されたセンサ等の部品）の破損を防止できる。
【００５８】
［第３実施形態］
図８は、本発明の第３実施形態に係るスポーツ用ボール１Ｂの構成を説明する図である。図８は、スポーツ用ボール１Ｂの斜視図であり、本体１０の内部を示すため、本体１０及び蓋部５０は外形のみを点線で示している。
【００５９】
第３実施形態に係るスポーツ用ボール１Ｂは、第１実施形態に係るスポーツ用ボール１とは、電子部品保持部２０Ｂ及び変位吸収部７０の構成が異なる。
スポーツ用ボール１Ｂは、中空形状に形成され、本体１０と、電子部品保持部２０Ｂと、１つの端子保持部３０と、１つの変位吸収部７０と、１つの蓋部５０と、を備える。
【００６０】
電子部品保持部２０Ｂは、変位吸収部７０に電子部品２１を取り付けることが可能な任意の手段（例えば、変位吸収部７０に固定され電子部品２１を収容するケースや、接着材や、ビス等）で構成される。例えば、電子部品保持部２０Ｂをゴム製のネジで構成し、このゴム製のネジにより、電子部品２１（例えば、電子基板）を変位吸収部７０に取り付けることで、スポーツ用ボール１Ｂに与えられた外力により、電子部品２１等が破損することを防止できる。
【００６１】
変位吸収部７０は、伸長性を有する素材（例えば、ゴム等）が膜形状に形成され、端縁の少なくとも一部が本体１０の内面に接合（例えば、圧着や接着）され、本体１０の内面から立設する面において、本体１０から離れた位置に電子部品保持部２０Ｂが取り付けられている。
詳細には、変位吸収部７０は、その中心が本体１０の中心に配置される帯形状に形成されている。また、変位吸収部７０は、その中心において電子部品保持部２０Ｂにより電子部品２１が固定され、両端縁７１が本体１０の内面に接合されている。
【００６２】
これにより、スポーツ用ボール１Ｂの弾性を損なうことなく、本体１０と変位吸収部７０とを一体化することが可能となる。
【００６３】
［第４実施形態］
図９は、本発明の第４実施形態に係るスポーツ用ボール１Ｃの構成を説明する図である。図９は、スポーツ用ボール１Ｃの斜視図であり、本体１０の内部を示すため、本体１０及び蓋部５０は外形のみを点線で示している。
【００６４】
第４実施形態に係るスポーツ用ボール１Ｃは、第３実施形態に係るスポーツ用ボール１Ｂとは、変位吸収部８０の構成が異なる。
スポーツ用ボール１Ｃは、中空形状に形成され、本体１０と、電子部品保持部２０Ｂと、１つの端子保持部３０と、１つの変位吸収部８０と、１つの蓋部５０と、を備える。
【００６５】
変位吸収部８０は、伸長性を有する素材（例えば、ゴム等）が膜形状に形成され、端縁の少なくとも一部が本体１０の内面に接合（例えば、圧着や接着）され、本体１０の内面から立設する面において、本体１０から離れた位置に電子部品保持部２０Ｂが取り付けられている。
詳細には、変位吸収部８０は、その中心が本体１０の中心に配置される膜状体であり、本体１０の周方向において等間隔に配列された複数のセル（空間）８１が形成されている。また、変位吸収部８０は、その中心において電子部品保持部２０Ｂにより電子部品２１が固定され、端縁８２が本体１０の内面に接合されている。
【００６６】
これにより、スポーツ用ボール１Ｂの重心を保つためのバランスを取りやすいセル構造を構成することが可能となる。
なお、本実施形態では、平面的に膜状体を配置したが、立体的に膜状体を配置してもよい。また、本実施形態では、セル（空間）８１を３箇所形成しているが、３箇所以上であれば、任意の箇所数とすることができる。
【００６７】
［第５実施形態］
図１０は、本発明の第５実施形態に係るスポーツ用ボール１Ｄの構成を説明する図である。図１０は、スポーツ用ボール１Ｄの斜視図であり、本体１０の内部を示すため、本体１０及び蓋部５０は外形のみを点線で示している。
【００６８】
第５実施形態に係るスポーツ用ボール１Ｄは、第３実施形態に係るスポーツ用ボール１Ｂとは、変位吸収部９０の構成が異なる。
スポーツ用ボール１Ｄは、中空形状に形成され、本体１０と、電子部品保持部２０Ｂと、１つの端子保持部３０と、１つの変位吸収部９０と、１つの蓋部５０と、を備える。
【００６９】
変位吸収部９０は、伸長性を有する素材（例えば、ゴム等）が膜形状に形成され、端縁の少なくとも一部が本体１０の内面に接合（例えば、圧着や接着）され、本体１０の内面から立設する面において、本体１０から離れた位置に電子部品保持部２０Ｂが取り付けられている。
詳細には、変位吸収部９０は、本体１０の内面から、本体１０の中心方向に立設する片形状に形成され、この片の表面であって、本体１０から離れた位置に、電子部品保持部２０Ｂにより電子部品２１が取り付けられている。
【００７０】
これにより、本体１０に外力が与えられ、この外力が与えられた位置が、例えば、電子部品２１が取り付けられた位置近傍であっても、電子部品２１は本体１０から離れた位置に取り付けられているので、電子部品２１がダメージを受けるのを回避できる。
【００７１】
第３実施形態乃至第５実施形態によれば、伸長性を有する素材の膜により、電子部品２１を保持する電子部品保持部２０Ｂを初期相対位置に戻す方向に付勢することができる。また、変位吸収部７０、８０及び９０を膜形状に形成することで、スポーツ用ボール１Ｂ、１Ｃ及び１Ｄの弾性を損なうことなく、本体１０と電子部品保持部２０Ｂとを一体化できる。
【００７２】
また、第３実施形態乃至第５実施形態によれば、変位吸収部７０、変位吸収部８０及び変位吸収部９０は、面で電子部品２１を保持するので、本体１０に外力が加えられた場合、本体１０の内部に配置され、電子部品保持部２０Ｂを介して電子部品２１を面で保持する変位吸収部７０、変位吸収部８０又は変位吸収部９０により、外力を吸収し、電子部品２１への衝撃を緩衝することができる。
よって、従来のスポーツ用ボールの力学的特性を維持しながら、電子部品（例えば、基板や、基板に搭載されたセンサ等の部品）の破損を防止できる。
【００７３】
また、第１実施形態乃至第５実施形態によれば、本体１０に外力が加えられた場合、本体１０に取り付けられた端子保持部３０と、本体１０の内部に配置された電子部品保持部２０又は２０Ｂとが、それぞれ異なる方向に移動し、電子部品保持部２０又は２０Ｂの端子保持部３０に対する相対位置が変化する。この場合、変位吸収部４０、４０Ａ、７０、８０又は９０が、電子部品保持部２０又は２０Ｂを、端子保持部３０に対する電子部品保持部２０又は２０Ｂの初期相対位置Ｐに戻す方向に付勢する。
このため、本体１０に外力が加えられた場合に、端子保持部３０の端子３１と、電子部品保持部２０又は２０Ｂが保持する電子部品２１とに接続されたケーブル３２に掛かる引っ張り力を軽減し、このケーブル３２が断線するのを防止できる。
したがって、中空形状に形成されたスポーツ用ボールの内部に設けられた電子部品に接続されたケーブルが、スポーツ用ボールに加えられた外力により断線するのを防止し、ケーブルあるいは電子部品に関わる全ての電気的接点の損傷を防止できる。
【００７４】
また、第１実施形態乃至第５実施形態によれば、ケーブル３２は、本体１０に外力が加えられ、電子部品保持部２０の端子保持部３０に対する相対位置が最大に変化した状態において、端子３１から電子部品２１までの距離よりも長い長さで形成されているので、端子３１から電子部品２１までの距離が最大となるような大きな外力が本体１０に加えられ、電子部品保持部２０の端子保持部３０に対する相対位置が最大に変化しても、断線しない。
これにより、中空形状に形成されたスポーツ用ボールの内部に設けられた電子部品に接続されたケーブルが、スポーツ用ボールに加えられた外力により断線するのをより確実に防止できる。
【００７５】
また、第１実施形態乃至第５実施形態によれば、蓋部５０で端子３１を覆い、この端子３１が埋め込まれた端子保持部本体３３の周面から突出する係合部３４が蓋部５０の内面５０ａに形成された蓋溝５０ｂと密接して係合するので、端子３１に水や埃が侵入するのを防止できる。
【００７６】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００７７】
なお、上記実施形態の応用例として、電子部品２１は、外部機器と、情報の送受信や電池の充電等を無線（無線通信や非接触充電）で行ってもよい。この場合、スポーツ用ボールにおいて、端子保持部３０、ケーブル３２及び蓋部５０を省略することができる。
【００７８】
［応用例１］
第１実施形態及び第２実施形態の上記応用例（応用例１）に係る発明は、以下のとおりである。
（発明が解決しようとする課題）
【００７９】
ところで、スポーツ用ボールは、外表面に衝撃等の外力が加えられると、特許第３７３７７８１号公報の弾性部材の内部に設けられた電子部品にもこの衝撃が伝わり、この電子部品が破損する場合がある。
【００８０】
応用例１に係る発明は、上記のような課題に鑑み、中空形状に形成されたスポーツ用ボールの内部に設けられた電子部品が、スポーツ用ボールに加えられた外力により破損するのを防止することを目的とする。
（課題を解決するための手段）
【００８１】
中空形状に形成されたスポーツ用ボールであって、
内部に気密空間を有し、外形を形成する本体と、
前記本体の内部に配置され、前記本体の内部において、略中心に配置され、チューブ形状に形成され、その内部に電子部品を保持する電子部品保持部と、
前記本体の内部に配置され、チューブ形状に形成され、一端が前記本体の内面に接続され、他端が前記電子部品保持部に接続され、中央部が弾性変形可能な変位吸収部と、を備え、
前記変位吸収部は、前記電子部品保持部と、互いの円形状の端縁近傍が重ねられて接続され、一体的に形成されているスポーツ用ボール。
【００８２】
このような構成によれば、スポーツ用ボールは、中空形状に形成され、本体と、電子部品保持部と、端子保持部と、変位吸収部と、を備える。
本体は、内部に気密空間を有し、外形を形成する。
電子部品保持部は、本体の内部に配置され、本体の内部において、略中心に配置され、チューブ形状に形成され、その内部に電子部品を保持する。
変位吸収部は、本体の内部に配置され、チューブ形状に形成され、一端が本体の内面に接続され、他端が電子部品保持部に接続され、中央部が弾性変形可能である。
そして、変位吸収部は、電子部品保持部と、互いの円形状の端縁近傍が重ねられて接続され、一体的に形成されている。
【００８３】
これにより、本体に外力が加えられた場合、本体の内部に配置され、電子部品保持部と一体的に形成された変位吸収部により、外力を吸収し、電子部品保持部に保持された電子部品への衝撃を緩衝することができる。
よって、従来のスポーツ用ボールの力学的特性を維持するための電子部品（例えば、基板や、基板に搭載されたセンサ等の部品）の破損を防止できる。
（発明の効果）
【００８４】
応用例１に係る発明によれば、中空形状に形成されたスポーツ用ボールの内部に設けられた電子部品が、スポーツ用ボールに加えられた外力により破損するのを防止できる。
【００８５】
［応用例２］
第３実施形態乃至第５実施形態の上記応用例（応用例２）に係る発明は、以下のとおりである。
（発明が解決しようとする課題）
【００８６】
ところで、スポーツ用ボールは、外表面に衝撃等の外力が加えられると、特許第３７３７７８１号公報の弾性部材の内部に設けられた電子部品にもこの衝撃が伝わり、この電子部品が破損する場合がある。
【００８７】
応用例２に係る発明は、上記のような課題に鑑み、中空形状に形成されたスポーツ用ボールの内部に設けられた電子部品が、スポーツ用ボールに加えられた外力により破損するのを防止することを目的とする。
（課題を解決するための手段）
【００８８】
中空形状に形成されたスポーツ用ボールであって、
内部に気密空間を有し、外形を形成する本体と、
前記本体の内部に配置され、前記本体の内部において、電子部品を保持する電子部品保持部と、
前記本体の内部に配置され、伸長性を有する素材が膜形状に形成され、端縁の少なくとも一部が前記本体の内面に接合され、前記本体から離れた位置において、前記本体の内面から立設する面で、前記電子部品保持部を介して前記電子部品を保持するスポーツ用ボール。
【００８９】
このような構成によれば、スポーツ用ボールは、中空形状に形成され、本体と、電子部品保持部と、端子保持部と、変位吸収部と、を備える。
本体は、内部に気密空間を有し、外形を形成する
電子部品保持部は、本体の内部に配置され、本体の内部において、電子部品を保持する。
変位吸収部は、本体の内部に配置され、伸長性を有する素材が膜形状に形成され、端縁の少なくとも一部が本体の内面に接合され、本体から離れた位置において、本体の内面から立設する面で、電子部品保持部を介して電子部品を保持する。
【００９０】
これにより、本体に外力が加えられた場合、本体の内部に配置され、電子部品保持部を介して電子部品を面で保持する変位吸収部により、外力を吸収し、電子部品への衝撃を緩衝することができる。
よって、従来のスポーツ用ボールの力学的特性を維持するための電子部品（例えば、基板や、基板に搭載されたセンサ等の部品）の破損を防止できる。
（発明の効果）
【００９１】
応用例２に係る発明によれば、中空形状に形成されたスポーツ用ボールの内部に設けられた電子部品が、スポーツ用ボールに加えられた外力により破損するのを防止できる。
【符号の説明】
【００９２】
１、１’、１Ａ、１Ｂ、１Ｃ、１Ｄ  スポーツ用ボール
１０  本体
１１  ゴム製ブラダー
１２  外皮
２０、２０Ａ、２０Ｂ  電子部品保持部
２１  電子部品
２２  帯状変形部
２２ａ  帯状体
３０  端子保持部
３１  端子
３１ａ  操作部
３２  ケーブル
３３  端子保持部本体
３３ａ  周面
３４  係合部
４０、４０Ａ、７０、８０、９０  変位吸収部
４１  帯状変形部
４１Ａ  湾曲変形部
４１ａ  帯状体
４２  遮蔽部
４２ａ  挿通孔
５０  蓋部
５０ａ  内面
５０ｂ  蓋溝
６０ａ  面
６０  補助板
６１  当接部
６１ａ  側縁
６１ｂ  孔
７１  両端縁
８１  セル
８２  端縁
【図１】
2016175189.tif 000003
【図２】
2016175189.tif 000004
【図３】
2016175189.tif 000005
【図４】
2016175189.tif 000006
【図５】
2016175189.tif 000007
【図６】
2016175189.tif 000008
【図７】
2016175189.tif 000009
【図８】
2016175189.tif 000010
【図９】
2016175189.tif 000011
【図１０】
2016175189.tif 000012
【国際調査報告】
2016175189.tif 000013
2016175189.tif 000014
2016175189.tif 000015
2016175189.tif 000016